(57)【要約】【課題】清掃用ノズルや掃除ブラシの付け替えが不要な使い勝手の良い吸込口具を提供する。【解決手段】ケース２の輪郭の内側で床面に臨んで開口する筒状の内側吸込口４Ａと、ケース２の輪郭の外側で床面に臨んで開口し、その開口面が前記内側吸込口４Ａの開口面と面一となるノズル状の外側吸込口４Ｂと、前記ケースの底面に床面に平行かつ、前記内側吸込口４Ａと前記外側吸込口４Ｂとの間に回転中心を持つように回転可能に設けられた機能的清掃部材３とを備え、前記機能的清掃部材３は、回転中心を挟んで対向する箇所に刷毛を有する掃除ブラシ部３２と、前記床面に臨んで開口する回動式開口部８とを有することを特徴とする吸込口具１。【選択図】      図１
2004357961.tif 000002
【特許請求の範囲】
【請求項１】
ケースの輪郭の内側で床面に臨んで開口する筒状の内側吸込口と、ケースの輪郭の外側で床面に臨んで開口し、その開口面が前記内側吸込口の開口面と面一となるノズル状の外側吸込口と、前記ケースの底面に床面に平行かつ、前記内側吸込口と前記外側吸込口との間に回転中心を持つように回転可能に設けられた機能的清掃部材とを備え、
前記機能的清掃部材は、回転中心を挟んで対向する箇所に刷毛を有する掃除ブラシ部と、前記床面に臨んで開口する回動式開口部とを有することを特徴とする吸込口具。
【請求項２】
前記機能的清掃部材を正・逆両方向に回転駆動する機能的清掃部材回転駆動手段を設けたことを特徴とする請求項１に記載の吸込口具。
【請求項３】
前記機能的清掃部材は、回転中心を中心として所定の中心角を隔てた位置に刷毛の材質の異なる複数の清掃ブラシ部を有することを特徴とする請求項１に記載の吸込口具。
【請求項４】
前記掃除ブラシ部が床面に平行に回転可能であり、前記掃除ブラシ部を単独で回転駆動する掃除ブラシ部回転駆動手段を設けたことを特徴とする請求項１〜３のいずれかに記載の吸込口具。
【請求項５】
前記機能的清掃部材の回転機構が電動送風機の駆動のＯＮ／ＯＦＦ切り替え機能を有することを特徴とする請求項１〜４のいずれかに記載の吸込口具。
【請求項６】
ケースの輪郭の内側で床面に臨んで開口する筒状の内側吸込口と、ケースの輪郭の外側で床面に臨んで開口し、その開口面が前記内側吸込口の開口面と面一となるノズル状の外側吸込口と、前記ケースの底面に床面に平行かつ、前記内側吸込口と前記外側吸込口との間に回転中心を持つように回転可能に設けられた機能的清掃部材とを備え、
前記機能的清掃部材は、一端部の形状が円弧状をしており、その部分に床面に臨んで円形に開口する回動式開口部を形成するととともに、他端部の形状が直角のエッジを有する形状をしており、その部分に床面に臨んで矩形に開口する回動式開口部を形成したことを特徴とする吸込口具。
【請求項７】
前記機能的清掃部材の回転中心に床面と接触して回転する球体を設けたことを特徴とする請求項１〜６のいずれかに記載の吸込口具。
【請求項８】
掃除ブラシ部の種類または回動式開口部の現在位置を表示する表示部を設けたことを特徴とする請求項１〜７のいずれかに記載の吸込口具。
【発明の詳細な説明】
【０００１】
【発明の属する技術分野】
本発明は、電機掃除機や自走式掃除機に装着して使用する吸込口具に関するものである。
【０００２】
【従来の技術】
電気掃除機を使った部屋の床面の掃除は、Ｔ字型の吸込口具だけでは十分な掃除ができないので、部屋の形状、家具の形状等によってさまざまな掃除方法が要求される。例えば、部屋の隅が奥まっていたり、角が突出していたりする場合があるし、部分的に細い隙間を有する部屋もある。さらに、部屋の中にはテーブルや椅子等の障害物もあるし、床面の材質も、絨毯、畳、フローリングなど一様ではない。したがって、このような部屋を掃除するには、それぞれの場所に対応した清掃用ノズルや掃除ブラシが必要である（例えば、特許文献１〜３参照）。
【０００３】
従来の電気掃除機の清掃用ノズルは、吸込みホースや延長管の先端に着脱可能に取り付けて使用されるものが多く、掃除する場所に応じて先端が細くなっていたりするものである。
【０００４】
また、従来の電気掃除機の掃除ブラシは、特殊な刷毛を有しているのが一般的であり、床面の材質や形状に応じて種々の刷毛材質のものが用意されている。例えば、絨毯の掃除には、ポリプロピレンや豚毛等硬めの刷毛を使って、絨毯の中に入り込んだ埃を掻き出しておき、掃除ブラシを取り外して、吸込みホースの先端で埃を吸込んだり、吸込口具に付け替えて吸い込むようにしたりしていた。また、フローリングや畳の掃除には、ポリエチレンや羊毛等軟らかい刷毛を使って埃を静電気力で吸着しておき、吸込口具に付け替えて、取り外した掃除ブラシの刷毛に付着した埃を吸い込む。
【０００５】
【特許文献１】
実開平５−８８４７２号公報
【特許文献２】
特開２００１−２５８８０６号公報
【特許文献３】
実開２００３−５２５８８号公報
【０００６】
【発明が解決しようとする課題】
このように、従来の電気掃除機では、部屋の隅や狭い領域を清掃したり、絨毯に入り込んだごみやフローリングに付着した埃などを取り除いたりするためには、吸込口具を床に応じた清掃用ノズルや掃除ブラシに交換しなければならず、交換に非常に手間が掛かるという問題がある。また、刷毛の種類が多いため掃除ブラシを紛失しやすく、必要なとき場所に応じた掃除ができないことがあった。
【０００７】
特に、吸込口具と清掃用ノズルを交換できない自走式掃除機では、部屋の隅や障害物の周辺等に取りきれなかった埃が残ってしまい、十分な掃除ができない欠点があった。
【０００８】
本発明は上記の点に鑑みなされたものであり、清掃用ノズルや掃除ブラシの付け替えることなく、部屋の隅や狭い領域を清掃したり、絨毯に入り込んだごみやフローリングに付着した埃などを取り除いたりすることが可能な使い勝手の良い吸込口具を提供することを目的とする。
【０００９】
【課題を解決するための手段】
上記の目的を達成するため、ケースの輪郭の内側で床面に臨んで開口する筒状の内側吸込口と、ケースの輪郭の外側で床面に臨んで開口し、その開口面が前記内側吸込口の開口面と面一となるノズル状の外側吸込口と、前記ケースの底面に床面に平行かつ、前記内側吸込口と前記外側吸込口との間に回転中心を持つように回転可能に設けられた機能的清掃部材とを備え、前記機能的清掃部材は、回転中心を挟んで対向する箇所に刷毛を有する掃除ブラシ部と、前記床面に臨んで開口する回動式開口部とを有することを特徴とする。この構成によれば、テーブルや椅子の脚周囲を掃除するときや、奥まった狭い場所を掃除するときは、外側吸込口の位置に持ってきた掃除ブラシ部を塵埃のある場所に移動させて、塵埃を刷毛で掻き出し、掻き出された塵埃を内側吸込口から吸い込むことにより、効率よく吸い取ることができる。
【００１０】
そして、狭い場所の隅に残った塵埃は、機能的清掃部材を１８０°回転させ、回動式開口部を外側吸込口に合致させてケースの外側に突出するノズル状の吸込口から吸い込むことにより、確実に吸い取ることができる。
【００１１】
なお、前記機能的清掃部材を正・逆両方向に回転駆動する機能的清掃部材回転駆動手段を設けてもよいこれにより、掃除ブラシ部を使うときは、機能的清掃部材回転駆動手段により機能的清掃部材の回転方向に往復動を与えることにより、掃除ブラシ部を小刻みに動かし、テーブルや椅子の脚等断面が円形形状の障害物周辺の埃を容易に掃除することが可能になる。
【００１２】
また、前記機能的清掃部材は、回転中心を中心として所定の中心角を隔てた位置に刷毛の材質の異なる複数の清掃ブラシ部を有する構成としてもよい。この構成によると、床の状態に応じて掃除ブラシ部の種類（すなわち、刷毛の材質）を選択できる。例えば絨毯を掃除する場合に毛足の硬いポリプロピレンや豚毛の刷毛の掃除ブラシ部を使い、フローリングや畳を掃除する場合に毛足の柔らかいポリエチレンや羊毛の刷毛の掃除ブラシ部を使うことができ、より効果的な掃除を実現することが可能である。
【００１３】
そして、前記掃除ブラシ部が床面に平行に回転可能であり、前記掃除ブラシ部を単独で回転駆動する掃除ブラシ部回転駆動手段を設けたことを特徴とする。この構成によれば、掃除ブラシ部に回転復動を与えることにより、ポリプロピレンやポリエチレン製の刷毛を動かし、テーブルや椅子の脚等断面が円形形状の障害物周辺の埃を迅速に掃除することが可能である。また、刷毛に洗浄剤やコーティング剤を塗布すると、フローリングのワックスがけを行うことも可能である。
【００１４】
また、前記機能的清掃部材の回転機構が電動送風機の駆動のＯＮ／ＯＦＦ切り替え機能を有すると、掃除ブラシ部のみを使う時間帯は電動送風機の駆動をＯＦＦにして節電が可能になる。つまり、この時間帯は、掃除ブラシ部を箒やモップ代わりにして埃の除去または静電気による吸着を行っているため、吸い込み機能が不要となるのである。
【００１５】
また、本発明の吸込口具は、ケースの輪郭の内側で床面に臨んで開口する筒状の内側吸込口と、ケースの輪郭の外側で床面に臨んで開口し、その開口面が前記内側吸込口の開口面と面一となるノズル状の外側吸込口と、前記ケースの底面に床面に平行かつ、前記内側吸込口と前記外側吸込口との間に回転中心を持つように回転可能に設けられた機能的清掃部材とを備え、
前記機能的清掃部材は、一端部の形状が円弧状をしており、その部分に床面に臨んで円形に開口する回動式開口部を形成するととともに、他端部の形状が直角のエッジを有する形状をしており、その部分に床面に臨んで矩形に開口する回動式開口部を形成したことを特徴とする。この構成によれば、掃除する部屋の壁の形状に機能的清掃部材の回動式開口部を一致させることができ、より効率的な掃除が可能となる。
【００１６】
また、本発明では、前記機能的清掃部材の回転中心に床面と接触して回転する球体を設けたことを特徴とする。この構成によれば、機能的清掃部材の回転や掃除ブラシ部の運動摩擦の影響を受けることなく、吸込口具が安定的に移動でき、また移動時の直進性も得られる。
【００１７】
そして、本発明は、掃除ブラシ部の種類または回動式吸込口の現在位置を表示する表示部を設けたことを特徴とする。この構成によると、吸引掃除の時は、回動式吸込口がどの位置にあるか、吸引掃除以外の場合は、掃き掃除、艶出し掃除若しくは吸着掃除のいずれを行っているかを視覚的に示すことができる。
【００１８】
【発明の実施の形態】
本発明の第１の実施形態を図面に基づいて説明する。図１は、第１の実施形態に係る吸込口具の外観斜視図であり、図２は、その底面から見た平面図であり、図３は、その側面断面図である。図１〜図３に示すように、吸込口具１は、矩形のケース２、このケース２の底面に９０°ずつ回転可能に取り付けられた機能的清掃部材３、ケース２の上面から垂直に延びる連結筒５を有している。ケース２の底面には、移動用の左右一対の車輪６，６が装着されている。
【００１９】
連結筒５の垂直管部５ａは、ケース２の底面を貫通し、その下端は、ケース２の底面のわずか下方で円形の内側吸込口４Ａとして開口している。また、垂直管部５ａは、ケース２の内部で水平前方に分岐している。この水平管部５ｂは、ケース２の前面を貫通し、その先端部は、垂直下方にノズル状に屈曲され、下端においてケース２の底面のわずか下方で外側吸込口４Ｂとして開口している。
【００２０】
機能的清掃部材３は、ケース２の底面と平行に設けられた板棒状の柄部３１と、柄部３１の一端部に設けられた掃除ブラシ部３２とから成っている。掃除ブラシ部３２が設けられた柄部３１の一端部は円弧状の形状をしている。ここで、内側吸込口４Ａと外側吸込口４Ｂの開口面同士は、柄部３１の上面が成す平面内でほぼ面一となっている。
【００２１】
柄部３１の上面には、回転軸７が設けられ、この回転軸７によって機能的清掃部材３は、内側吸込口４Ａと外側吸込口４Ｂとの間で、ケース２底面の幅方向の中央において、床面に平行に回転可能に取り付けられている。柄部３１の他端部は直角のエッジを有する形状をしており、その部分に、テーパー状に形成され、床面に臨んで正方形に開口する回動式開口部８が設けられている。また、柄部３１の他端部は、直角のエッジ３１ａを有する形状であり、床面に臨んで矩形に開口する回動式開口部８が設けられている。柄部３１の一端部と他端部は、機能的清掃部材３の回転中心を挟んで対向している。
【００２２】
掃除ブラシ部３２は、円形のブラシヘッド３２ａと、このブラシヘッド３２ａの下面全体に植設された刷毛３２ｂとからなり、ブラシヘッド３２ａの上面で上記柄部３１の一端部に取り付けられている。刷毛３２ｂの材質は掃除する床面の状況に依存しており、例えばフローリングには繊維状のポリプロピレンを使った毛が適している。なお、掃除ブラシ部３２を、ブラシヘッド３２ａと柄部３１とが一体、すなわち、柄部３１の一端部の下面に直接刷毛３２ｂを植設した構成としてもよい。
【００２３】
機能的清掃部材３を、掃除ブラシ部３２がケース２の外側へ突出するように回転させ、図２のように、車輪６，６に平行にすると、回動式開口部８が内側吸込口４Ａに合致して連結筒５の内外が連通するとともに、掃除ブラシ部３２が外側吸込口４Ｂと合致し、この部分の柄部３１の上面で外側吸込口４Ｂを塞ぐようになっている。この状態から機能的清掃部材３を、回転式開口部８がケース２の外側へ突出するように１８０°回転させ、車輪６，６に平行にすると、回動式開口部８が外側吸込口４Ｂに合致して連結筒５の内外が連通するとともに、掃除ブラシ部３２が内側吸込口４Ａと合致し、この部分の柄部３１の上面で内側吸込口４Ａを塞ぐようになっている。
【００２４】
図４は、上記吸込口具１を装着した電気掃除機１００の例を示す概略斜視図である。電気掃除機１００の本体１０１の側面部には走行用の一対の走行輪１０３が設けられている。本体１０１前面部には、ホース差込口１０１ａを備え、ホース差込口１０１ａには、吸込みホース１０２の一端が差し込まれている。吸込みホース１０２の他端には把つ手付き手元操作部１０４が設けられ、延長管１０５が接続されている。延長管１０５の先端には上記吸込口具１の連結筒５の上端が着脱可能に差し込まれている。本体１０１の中心部には、図示しない電動送風機が取り付けられている。電動送風機は、本体１０１内に装着された図示しない集塵袋の下流側で駆動し、吸込口具１から吸込んだ塵埃を集塵袋に集塵する。
【００２５】
次に、上記のように構成された電気掃除機１００の使用形態について説明する。床面の塵埃を吸引掃除するときは、機能的清掃部材３を手動で回転させて、図２のように、回動式開口部８を内側吸込口４Ａに合致させるとともに、掃除ブラシ部３２をケース２の外側へ突出させる。特に、テーブルや椅子の脚周囲を掃除するときや、図５のように奥まった狭い場所を掃除するときは、掃除ブラシ部３２を塵埃のある場所に移動させて（図６参照）、塵埃を刷毛３２ｂで掻き出し、掻き出された塵埃を内側吸込口４Ａから吸い込むことにより、効率よく吸い取ることができる。掃除ブラシ部３２は、左右に揺動させても、単独で回転させてもかまわない。
【００２６】
また、狭い場所の隅に残った塵埃は、図７のように、機能的清掃部材３を１８０°回転させ、回動式開口部８を連結管５の外側吸込口４Ｂに合致させてケース２の外側にエッジ３１ａを有する吸込口を形成することにより、エッジ３１ａを床面の角に合わせるようにして、確実に吸い取ることができる。
【００２７】
なお、壁際に沿って掃除するときは、機能的清掃部材３を９０°回転させ、柄部３１の全体をケース２の前面と平行な状態とし、掃除ブラシ部３２の毛足の長い刷毛３２ｂで壁際の塵埃を掻き出すようにし、内側吸込口４Ａ及び外側吸込口４Ｂによって掃除する。
【００２８】
なお、機能的清掃部材３の回転軸７とケース２側の軸受けとに接点を設けるとともに、吸込みホース１０２を介して吸込口具１と本体１０１とを電気的に接続することにより、機能的清掃部材３の回転機構に電動送風機の駆動のＯＮ／ＯＦＦの切り替え機能を持たせることができる。例えば、回転式開口部８が内側吸込口４Ａと合致するとともに、掃除ブラシ部３２が外側吸込口４Ｂと合致する位置にあるとき、電動送風機が駆動され、反対に回転式開口部８が外側吸込口４Ｂと合致するとともに、掃除ブラシ部３２が内側吸込口４Ａと合致する位置にあるとき、電動送風機の駆動をＯＦＦするようにする。
【００２９】
これにより、機能的清掃部材３を回転させて掃除ブラシ部３２をケース２の内側へ持ってくると、電動送風機の駆動がＯＦＦされるようにすることができ、吸込み機能を使うことなく、吸込口具１を塵埃のある場所に移動して掃除ブラシ部３２を箒のように使って掃き掃除を行うことができる。そして、再び機能的清掃部材３を回転させ、回動式開口部８を内側吸込口４Ａに合致させることにより、電動送風機の駆動を自動的にＯＮすることができ、掃き出した塵埃を内側吸込口４Ａより吸い取ることができる。したがって、電動送風機を必要なときだけ駆動できるので、電力の節約が図られる。
【００３０】
次に、本発明の第２の実施形態を図面に基づいて説明する。図７は、第２の実施形態に係る吸込口具を底面から見た平面図である。この図において、上記第１の実施形態に係る吸込口具と共通の部材や部分には同一符号を付し、その詳細な説明を省略する。
【００３１】
図８に示すように、本実施形態の機能的清掃部材３の柄部３１は十字型の平面形状をしており、回転軸７を中心にして９０°の中心角を隔てた位置に３つの掃除ブラシ部３３，３２，３４と、１つの回動式開口部８とをこの順で有している。掃除ブラシ部３３，３４は、上記掃除ブラシ部３２と同様に、円形のブラシヘッド３３ａ，３４ａと、このブラシヘッド３３ａ，３４ａの下面全体に植設された刷毛３３ｂ，３４ｂとから成り、ブラシヘッド３３ａ，３４ａの上面で上記十字型の柄部３１の端部の下面に取り付けられている。
【００３２】
刷毛３３ｂの材質は、刷毛３２ｂとは異なる材質であり、刷毛３４ｂの材質は、刷毛３２ｂ、３３ｂのいずれとも材質が異なるものである。例えば、刷毛３２ｂは、繊維状のポリプロピレンからできており、絨毯の上の塵埃を掃き出す役割がある。また、刷毛３３ｂは、羊毛を加工して艶出し剤が塗布されており、フローリングに艶を出す効果がある。そして、刷毛３４ｂは、ポリエチレンファイバーからできており、畳やフローリング上の細かい埃を吸着することができる。
【００３３】
柄部３１の回転中心から各掃除ブラシ部３２〜３４が設けられる端部までの距離は同一で、機能的清掃部材３を回転させて、掃除ブラシ部３２〜３４をケース２の外側へ突出させることができる寸法に選ばれている。また、機能的清掃部材３の回転中心には床面と接触して回転する球体であるキャスター１４が装着されている。これにより、吸込口具１を電気掃除機の本体に装着した際、機能的清掃部材３の回転や掃除ブラシ部３２〜３４の運動摩擦の影響を受けることなく、車輪６，６と略平行な方向に吸込口具１が安定的に移動でき、また移動時の直進性も維持できる。
【００３４】
このような吸込口具１を装着した電気掃除機１００（図４参照）の使用形態について説明する。床面の塵埃を吸引掃除するときは、機能的清掃部材３を手動で回転させて、図８のように、回動式開口部８を内側吸込口４Ａに合致させるとともに、掃除ブラシ部３２をケース２の外側へ突出させる。特に、本体１０１がテーブルや椅子の脚周囲を掃除するときは、吸込口具１を塵埃のある場所に移動させて、塵埃を刷毛３２ｂで掻き出して、掃き出された塵埃を内側吸込口４Ａから吸い込むことにより、効率良く吸い取ることができる。
【００３５】
この他、本実施形態の吸込口具１によると、機能的清掃部材３を手動で回転させて、掃除ブラシ部３３又は３４をケース２の内側へ持ってくることで、床面の艶出し掃除又は塵埃の吸着掃除を行うこともできる。そして、吸引掃除のときは、回動式開口部８がどの位置にあるか、吸引掃除以外の場合は、掃き掃除、艶出し掃除若しくは吸着掃除のいずれを行っているかを示すために、例えば、図１０に示すように、ケース２の上面に液晶表示部１６を設け、各掃除ブラシ部３２〜３４の種類又は回動式開口部８の現在位置を表示させるとわかりやすい。
【００３６】
また、図９の吸込口具１の透視上面図に示すように、ケース２内に駆動モータ１０を設け、この駆動モータ１０の動力シャフトに噛合される減速ギア９を回転軸７に噛合し、駆動モータ１０を正逆両方向に回転可能に制御信号を送れば、掃除ブラシ部３２に矢印に示す微小振動を与えることができ、ゴミの掃き出し性を高めて床面を効果的に掃除することができる。
【００３７】
さらに、同図に示すように、機能的清掃部材３に装着された各掃除ブラシ部３２，３３，３４を独立に回転できるよう、個別に駆動モータ１１，１２，１３を取り付ければ、埃を迅速に取ることができるようになり、またフローリングの磨き・艶出し・コーティングも可能となる。なお、掃除ブラシ部３２〜３４は、掃除を繰り返すことにより、磨耗したり破損したりするため、これらを新しいものと交換できるように、機能的清掃部材３を着脱可能にケース２に取り付けることが望ましい。
【００３８】
次に、本発明の第３の実施形態について説明する。図１１は、第３の実施形態に係る吸込口具を底面から見た平面図である。この図において、上記第１の実施形態に係る吸込口具と共通の部材や部分には同一符号を付し、その詳細な説明を省略する。
【００３９】
図１１に示すように、板棒状の機能的清掃部材３の一端部は、円弧状に形成され、その部分にテーパー状に形成され、床面に臨んで円形に開口する回動式開口部１５が設けられている。また、機能的清掃部材３の他端部は、直角のエッジ３ａを有する形状であり、床面に臨んで矩形に開口する回動式開口部８が設けられている。
【００４０】
本実施形態によると、掃除する部屋の壁面形状に応じて、機能的清掃部材３を回転して、壁面の形状に合致するまたは近い形状の回動式開口部８又は１５を選択して外側吸込口４Ｂの位置に持ってくることが可能となる。このように、回動式開口部を使い分けることにより、埃の取り残しが無くなり、効果的な掃除が実現できる。
【００４１】
また、機能的清掃部材３の回転中心には床面と接触して回転する球体であるキャスター１４が装着されている。これにより、吸込口具１を電気掃除機の本体に装着した際、機能的清掃部材３の回転や回動式開口部８又は１５の形状の影響を受けることなく、車輪６，６と略平行な方向に吸込口具１が安定的に移動でき、また移動時の直進性も維持できる。
【００４２】
【発明の効果】
本発明によると、掃除する部屋の床の状態や壁面の形状に合わせて吸込口具付属の機能的清掃部材を回転させることにより、機能的清掃部材の掃除ブラシ部または、回動式開口部を選択的に切り替えることができる。従って、掃除できないエリアや掃除残しが無く、効果的な掃除が可能になり、清掃用ノズルや掃除ブラシの付け替えが不要な使い勝手の良い吸込口具を提供することができる。
【図面の簡単な説明】
【図１】本発明の第１の実施形態に係る吸込口具の斜視図である。
【図２】同上吸込口具を底面から見た平面図である。
【図３】同上吸込口具の側面断面図である。
【図４】同上吸込口具を装着した電気掃除機の概略斜視図である。
【図５】床面の奥まった場所に塵埃が散らかっている状態を床面の下から見た平面図である。
【図６】上記吸込口具を用いて床面の奥まった場所を清掃している状態を床面の下から見た平面図である。
【図７】上記吸込口具を用いて床面の奥まった場所の隅に残った塵埃を吸い取っている状態を床面の下から見た平面図である。
【図８】本発明の第２の実施形態に係る吸込口具を底面から見た平面図である。
【図９】同上第２実施形態の吸込口具の他の例を上面から見た平面図である。
【図１０】同上第２実施形態の吸込口具のさらに他の例を上面から見た平面図である。
【図１１】本発明の第３の実施形態に係る吸込口具を底面から見た平面図である。
【符号の説明】
１  吸込口具
２  ケース
３  機能的清掃部材
６  車輪
３１  柄部
３２，３３，３４  ブラシ部
４Ａ  内側吸込口
４Ｂ  外側吸込口
７  回転軸
８，１５  回動式開口部
１００  電気掃除機
【図１】
2004357961.tif 000003
【図２】
2004357961.tif 000004
【図３】
2004357961.tif 000005
【図４】
2004357961.tif 000006
【図５】
2004357961.tif 000007
【図６】
2004357961.tif 000008
【図７】
2004357961.tif 000009
【図８】
2004357961.tif 000010
【図９】
2004357961.tif 000011
【図１０】
2004357961.tif 000012
【図１１】
2004357961.tif 000013